(57)【特許請求の範囲】
【請求項１】
文房具として使用される筆記具であって、
刺激突起部が筆記する際に中指の内側に当たる外周部分に形成されるとともに、
楕円穴を内周に備えたゴム製または合成樹脂製のグリップ部材を有し、
当該グリップ部材の楕円穴は、筆記具本体に半径方向へ変位可能に嵌合され、
筆記時に前記楕円穴を備えたグリップ部材を親指で押すことにより、当該グリップ部材が半径方向へ偏心移動して、前記刺激突起部が中指の内側を刺激することを特徴とする文房具として使用される筆記具。
【請求項２】
文房具として使用される筆記具であって、
筆記する際に中指の内側に当たる部分に刺激突起部を備えた円筒形状の刺激ドラムを筆記具本体に半径方向に変移可能に嵌合し、
前記円筒形状の刺激ドラムの刺激突起部側に、当該突起部用の開口部を有するか、または、刺激ドラムを被う軟質ゴム製または軟質合成樹脂製のグリップ部材を有し、
筆記時に前記軟質材のグリップ部材を親指で押すことによって、刺激ドラムを偏芯移動させ、反対側にある中指の内側に当たる部分にある刺激突起部が、軟質材のグリップ部材を介して、または、開口部を介して、中指の内側を刺激することを特徴とする文房具として使用される筆記具。
【請求項３】
文房具として使用される筆記具であって、
刺激突起部を筆記する際の中指の内側に当たる部分の円筒部外周に備えるとともに、円筒部内周にはテーパー部と楕円穴、または、一部に開放部を有する円筒形状のドラムと、
前記刺激突起部を突出させるための軸方向に移動自在で、かつ前記円筒形状のドラムのテーパー部に対応するテーパー部を有する振動衝撃体を有し、
筆記の合間に筆記具を長さ方向に往復運動させることにより、前記振動衝撃体が前記テーパー部を介して前記円筒形状のドラムを軸方向と直角方向に移動させることにより、前記複数の刺激突起部が中指の内側を刺激することを特徴とする文房具として使用される筆記具。
【発明の詳細な説明】
【技術分野】
【０００１】
本発明は、文房具として使用されるボールペン等の筆記具に関し、特に学習時において覚醒効果を発揮し、かつ、記憶力を向上させることができるボールペン等の筆記具に関する発明である。
【背景技術】
【０００２】
学習時における人間の集中力は通常、時間の経過とともに低下する。その結果、多くの場合は眠気が襲ってくることとなる。眠気を除去するため、コーヒー等の摂取、軽い運動等により対応するのが一般的であった。
【０００３】
ところで長時間の単純作業における覚醒力の低下を防止する方法として、物理的な刺激をコントロールすることによって、長時間の単調作業においても不快感無く覚醒させ、その状態を維持できる手法が研究されている。
【０００４】
物理刺激のコントロールによる覚醒力の低下を防止する方法として、眠くなりやすい刺激を除去する方法、または、眠くなりにくくする刺激を積極的に与える方法がある。この中で後者の、眠くなり難くする刺激を積極的に付与する方法として、人体の一部に刺激を与えることによる局所刺激が、長時間単調作業中の人間の覚醒に与えることが知られている。
【０００５】
さらに脳回路を形成し、記憶を定着させるためには、学習時に五感（ごかん）を働かせると良いことは従来からよく知られている。「五感」とは、動物やヒトが外界を感知するための多種類の感覚機能のうち、従来からの分類による５種類の感覚、すなわち視覚、聴覚、触覚、味覚、嗅覚のことである。この分類を前提として、人間の感覚全体を指すために「五感」という表現が用いられる場合もある。
【先行技術文献】
【特許文献】
【０００６】
【特許文献１】特開平５−１４７３８１
【発明の概要】
【発明が解決しようとする課題】
【０００７】
眠くなりにくくする刺激を積極的に付与する方法として、人体の一部に与えられた刺激が、長時間単調作業中の人間に覚醒効果上有効に作用することは良く知られているが、学習時に眠くなり難くする刺激を自ら積極的に付与する実用的かつ具体的な方法、すなわち人体の一部、殊に中指の覚醒ツボであればより効果的であり、それも自らの意思を持って刺激を能動的に与えることを実現するような筆記具等は、未だ開発されていなかった。
【課題を解決するための手段】
【０００８】
上記課題を解決するために、本発明は、文房具として使用される筆記具であって、
筆記具として使用する際に、グリップ部の中指の内側に当たる部分に刺激突起部を有することを特徴とする文房具として使用される筆記具であることをその要旨とした。
【０００９】
上記課題を解決するために、本発明は、文房具として使用される筆記具であって、
刺激突起部が筆記する際に中指の内側に当たる外周部分に形成されるとともに、
前記刺激突起部を突出移動させるための楕円穴を内周に備えたゴム製または合成樹脂製のグリップ部材を有し、
筆記時に前記楕円穴を備えたグリップ部材を親指で押すことにより前記刺激突起部が中指の内側を刺激することを特徴とする文房具として使用される筆記具であることをその要旨とした。
【００１０】
上記課題を解決するために、本発明は、文房具として使用される筆記具であって、筆記する際に中指の内側に当たる部分に刺激突起部を備えた円筒形状の刺激ドラムを筆記具本体に半径方向に変移可能に嵌合し、前記円筒形状の刺激ドラムの刺激突起部側に、当該突起部用の開口部を有するか、または、刺激ドラムを被う軟質ゴムまたは軟質合成樹脂製のグリップ部材を有し、筆記時に前記軟質材のグリップ部材を親指で押すことによって、刺激ドラムを偏芯移動させ、反対側にある中指の内側に当たる部分にある刺激突起部が、軟質材のグリップ部材を介して、または、開口部を介して、中指の内側を刺激することを特徴とする文房具として使用される筆記具であることをその要旨とした。
【００１１】
上記課題を解決するために、本発明は、文房具として使用される筆記具であって、
刺激突起部を筆記する際の中指の内側に当たる部分の円筒部外周に備えるとともに、円筒部内周にはテーパー部と楕円穴、または、一部に開放部を有する円筒形状のドラムと、
前記刺激突起部を突出させるための軸方向に移動自在で、かつ前記円筒形状のドラムのテーパー部に対応するテーパー部を有する振動衝撃体を有し、
筆記の合間に筆記具を長さ方向に往復運動させることにより、前記振動衝撃体が前記テーパー部を介して前記円筒形状のドラムを軸方向と直角方向に移動させることにより、前記複数の刺激突起部が中指の内側を刺激することを特徴とする文房具として使用される筆記具であることをその要旨とした。
【発明の効果】
【００１２】
本発明によれば、筆記具のグリップ部の中指と接する部分に複数の刺激突起部を備えることにより、筆記時に刺激突起部による刺激が筆記具を持つ指、特に中指の爪の生え際の人差し指側の中衝という眠気を取るツボを刺激することとなる。かかる刺激によって学習時等に覚醒効果を生じることとなる。
【図面の簡単な説明】
【００１３】
【図１】文房具として使用する本発明の筆記具の簡略概念図
【図２】刺激突起部を備えた刺激ドラム
【図３】刺激ドラムを用いた場合の本発明の筆記具の説明図
【図４】外周の一部に刺激突起部を有すると共に、内周に刺激突起部を突出させるための楕円穴を有するグリップ部材を備えた本発明の筆記具の説明図（実施例１）
【図５】刺激突起部を突出させるために軸方向に移動する振動衝撃体を備えた本発明の筆記具の説明図（実施例２）
【図６】刺激突起部を突出させるために電動回転体を備えた筆記具（実施例３）
【図７】刺激突起部を突出させるためと音楽を奏でるために電動回転体（オルゴール仕様）を備えた筆記具（実施例４）
【符号の説明】
【００１４】
１    筆記具本体
１ａ  筆記具本体
１ｂ  筆記具本体
１ｃ  筆記具本体
１ｄ  筆記具本体
２    回り止め
３    スリット
４    グリップ部材
６    楕円穴
７    テーパー部
８    楕円穴部
９    開放部
１０    刺激突起部
２０    変移可能なグリップ部材
３０    円筒形状の刺激ドラム
４０    一部円筒形状の刺激ドラム
６０    軸方向に移動する振動衝撃体
７０    電動回転体
７０ａ  電動回転体
７１    突起物
７１ａ  突起物
７２    台座共鳴板
【発明を実施するための形態】
【００１５】
本発明について図１〜図５を参照して説明する。図１は文房具として使用される筆記具であって、筆記具として使用する際に、グリップ部の中指の内側に当たる部分に刺激突起部１０を備えている。本発明に係る文房具として使用される筆記具の根幹を成す形態であって最小限必要な構成である。
【００１６】
図２は本発明に係る文房具として使用される筆記具の刺激突起部１０を備えた円筒形状の刺激ドラム３０である。刺激突起部１０は９本〜１１本程度の針状の突起を備えており、この部分が筆記する際に中指の内側に当たることにより筆記者に刺激を与えることとなる。
図３に示すように、刺激ドラム３０は筆記具本体１に隙間δを開けて嵌合され、本体１のリブ状の回り止め２に刺激ドラム３０のスリット３を対応させていると共に、刺激ドラム３０の外側には、軟質ゴムまたは軟質合成樹脂等からなるグリップ部材４を被着してなり、これにより指の皮膚を傷つけずに刺激を与えることができるのである。
従って、グリップ部材４を親指で押すことにより、刺激ドラム３０が隙間δの分だけ半径方向に移動する事ができるので、親指と反対側に位置する刺激突起部１０が突出し、中指のツボに刺激を与えることができるのである。
なお、グリップ部材４は図示の実施例に限ることなく、刺激突起部１０に対応する位置に開口部（図示せず）を設けて、親指で押したときに、刺激突起部１０がこの開口部から突出して中指に刺激を与えるようにすることもできる。
【００１７】
図４は文房具として使用される筆記具であって、筆記具の使用に際し、中指の内側に当たる筆記具の部分に刺激突起部１０を外周に備えると共に、内周に楕円形空間６を形成したゴム製または合成樹脂製の半径方向へ変移可能なグリップ部材２０を設けて筆記具本体１ａに嵌合させ、筆記者が筆記している合間に前記グリップ部材２０を自らの意思により刺激突起部１０と反対側の部分を親指で押すことによって、前記楕円形空間６により偏芯移動させて刺激突起部１０を突出させることができるので、中指の内側に当たる部分の覚醒ツボにあたる部位が、刺激突起部１０により刺激を受けることになり覚醒効果を生ずることが出来る。
【００１８】
図５は文房具として使用される筆記具であって、筆記者が筆記する際に、筆記具の中指の内側に当たる部分の円筒部外周に刺激突起部１０を備えるとともに、円筒部内周にはテーパー部７と、楕円穴８または一部に開放部９を有する円筒形状の刺激ドラム３０と、刺激突起部１０を突出させるために軸方向に移動する振動衝撃体６０を有し、筆記の合間に筆記具全体を長手方向に往復運動させることにより、振動衝撃体６０がテーパー部７を介して円筒形状の刺激ドラム３０を軸線と直角方向すなわち半径方向に移動させるため、前記刺激突起部１０が中指の内側を刺激することにより覚醒効果を生ずることが出来る筆記具である。図４〜図７については、さらに実施例１〜実施例４にて詳細に説明する。
【００１９】
尚、本願発明の覚醒効果を生じさせる筆記具は、上記の実施例に限定されず、特許請求の範囲に記載された範囲、実施形態の範囲で、種々の変形例、組み合わせが可能であり、これらの変形例、組み合わせもその権利範囲に含むものである。
【実施例１】
【００２０】
以下、実施例によって具体的に本発明を説明するが、これらは本発明の範囲を限定するものではない。図４は文房具として使用される筆記具である。筆記者は、脳への刺激を得て覚醒効果を得るために、筆記している状態のまま、偏芯して設置されたゴム製または合成樹脂製のグリップ部材２０を親指で押すことにより覚醒効果を得ることが出来る。
【００２１】
筆記者は、脳への刺激を得て覚醒効果を得るために、筆記している状態のまま、偏芯変移可能に設置されたグリップ部材２０を自らの意思により親指で押す。筆記者が筆記具本体１ａに楕円穴６を介して設置されたグリップ部材２０を押すことにより、押された方向の先にある中指の内側に当たる部分にある刺激突起部１０が押されることになり、刺激突起部１０が押されて突出することになる。中指の内側に当たる部分にあたる刺激突起部１０が押されると、かかる部分には眠気をさますツボが存在するため覚醒効果を生ずることが出来る。中指の爪の生え際の人差し指側の中衝という眠気を取るツボを刺激するためである。
【実施例２】
【００２２】
図５は文房具として使用される筆記具である。筆記者は、脳への刺激を得て覚醒効果を得るために、筆記している状態から筆記具の長軸方向に筆記具本体１ｂを連続的に往復運動させることにより覚醒効果を得ることが出来る。
【００２３】
筆記者は筆記の合間に筆記具本体１ｂを長さ方向に連続して往復運動させる。本実施例ではかかる往復運動により、筆記具内部に設置された軸方向に移動する振動衝撃体６０がテーパー部７を有する一部円筒形状の刺激ドラム４０に衝突する。かかる衝突の衝撃により一部円筒形状の刺激ドラム４０が楕円穴部８または開放部９を介して半径方向に変移し、刺激突起部１０が衝突時の衝撃により突出する。かかる作用により中指の内側が刺激される。結果として中指の内側には眠気を覚ますツボが存在することにより覚醒効果を生ずることが出来る。中指の爪の生え際の人差し指側の中衝という眠気を取るツボを刺激するためである。
【実施例３】
【００２４】
図６は文房具として使用される筆記具である。筆記者が筆記具に備わった電源（図示しない）のスイッチを入れることにより、筆記具本体１ｃに内蔵された電動回転体７０が回転し、電動回転体に設けた突起物７１が刺激突起部１０に作用して覚醒効果を得ることが出来るものである。
【００２５】
筆記者は、電動回転体７０を回転させるため筆記具に備わった電源（図示しない）のスイッチを入れる。電動回転体７０には複数の突起物７１が備わっており、電動回転体７０が回転することによって、１つの突起物７１が刺激突起部１０を支える基盤に到達することにより、その都度、突起物７１が刺激突起部１０を支える基盤を押しつける。刺激突起部１０の下方にある基盤が押打されることによって、その度に刺激突起部１０が突出し、かかる作用により中指の内側が刺激される。結果として中指の内側には眠気を覚ますツボが存在することにより覚醒効果を生ずることが出来る。中指の爪の生え際の人差し指側の中衝という眠気を取るツボを刺激するためである。
【実施例４】
【００２６】
図７は文房具として使用される筆記具である。筆記者が筆記具に備わった電源（図示しない）のスイッチを入れることにより、筆記具本体１ｄに内蔵された電動回転体７０ａが回転し、電動回転体に設けた突起物が刺激突起部１０に作用して覚醒効果を得ることが出来るものである。中指の爪の生え際の人差し指側の中衝という眠気を取るツボを刺激するためである。本実施例では電動回転部７０ａの突起物７１ａと基盤の構造がオルゴールと同様な構造になっているため、さらに音楽を奏でることが出来る。心地よい音楽による脳への刺激がさらなる覚醒効果を生じさせる。
【００２７】
筆記者は、電動回転体７０ａを回転させるため筆記具に備わった電源（図示しない）のスイッチを入れる。実施例３と同様に、電動回転体７０ａには複数の突起物７１ａが備わっており、電動回転体７０ａが回転することによって、１つの突起物７１ａが刺激突起部７０を支える台座共鳴板７２に到達することにより、その都度、突起物７１ａが刺激突起部１０の下方にある台座共鳴板７２を押打する。刺激突起部１０の下方にある台座共鳴板７２が押打されることによって刺激突起部１０が僅かに振動突出し、かかる作用により中指の内側が刺激される。結果として中指の内側には眠気を覚ますツボが存在することにより覚醒効果を生ずることが出来る。中指の爪の生え際の人差し指側の中衝という眠気を取るツボを刺激するためである。本実施例では電動回転部の突起物７１ａと基盤共鳴体７２の構造がオルゴールと同様な構造になっているため、さらに音楽を奏でることが出来る。心地よい音楽による脳への刺激がさらなる覚醒効果を生じさせる。
なお、本実施例の場合には、中指の内側に対応する位置に刺激突起部１０を設けた場合を例示したが、この刺激突起部１０を直接基盤共鳴板７２に形成して、この基盤共鳴板７２を中指の内側に臨む様に配置し、振動刺激を得る様にすることも可能である。
【産業上の利用可能性】
【００２８】
本発明は、文房具として使用される筆記具に関する分野、特に、学習時において覚醒効果を発揮し、かつ、記憶力を向上させることができる筆記具に関する分野で利用される。
【図１】
0005989355.tif 000002
【図２】
0005989355.tif 000003
【図３】
0005989355.tif 000004
【図４】
0005989355.tif 000005
【図５】
0005989355.tif 000006
【図６】
0005989355.tif 000007
【図７】
0005989355.tif 000008